(57)【特許請求の範囲】
【請求項１】
左右一対のリンクプレートと該リンクプレートの下縁を相互に連結する結合アームと該
リンクプレートの上縁を相互に連結する開閉アームとを備えた複数のリンク体が相互に屈
曲可能に連結されているとともに、前記開閉アームを開閉自在に回動させるヒンジ結合機
構がリンクプレートの一方の上端部と開閉アームの一端とを中心として構成されているケ
ーブル類保護案内装置において、
前記開閉アームとリンクプレートとを係脱自在に固定する主ロック機構が、前記リンク
プレートの他方の上端部に一体成形されてチェーン長手方向に延びる係合ピンと、前記開
閉アームの他端に取り付けられて開閉アームに沿ってリンクプレートの外側から内側に向
けて移動して係合ピンに係合可能な係合ピン装入溝を開閉アームの長手方向に開口させた
係合片とで構成され、
前記開閉アームとリンクプレートとを係脱自在に係止する補助ロック機構が、前記係合
ピンのピン端部近傍に一体成形されてリンクプレートの内側に向けて開口する突起片装入
溝と前記開閉アームの他端に一体成形されて突起片装入溝にリンクプレートの内側から外
側に向けて装入して嵌合可能な補助突起片とで構成されていることを特徴とするケーブル
類保護案内装置。
【請求項２】
前記補助突起片を突起片装入溝の装入開始位置まで滑降させながら誘導案内する誘導案
内面が、前記係合ピンのピン端部近傍に一体形成されていることを特徴とする請求項１記
載のケーブル類保護案内装置。
【請求項３】
前記係合片の係合ピン装入溝と共働して係合ピンを抱持するロック舌片が、前記補助突
起片の近傍に一体形成されていることを特徴とする請求項１または請求項２記載のケーブ
ル類保護案内装置。
【請求項４】
前記係合片に一体成形されて弾性変形可能な係止用舌片と前記開閉アームに一体成形さ
れて係止用舌片を係止する少なくとも一つのストッパ部とを備え、前記係合片の係合ピン
装入溝を移動して前記係合ピンに係合させたとき、前記係止用舌片がストッパ部の一つに
係止されて前記係合片の逆方向への移動を阻止することを特徴とする請求項１乃至請求項
３のいずれかに記載されたケーブル類保護案内装置。
【発明の詳細な説明】
【技術分野】
【０００１】
本発明は、可動機械にエネルギーを供給するケーブルやホース等の可撓体を安全確実に
保護するとともに、可撓体を案内するケーブル類保護案内装置に関する。本発明は、より
詳細には、屈曲可能に連結された複数のリンク体から構成され、それぞれのリンク体が、
左右一対のリンクプレートと、このリンクプレートのそれぞれの下縁を連結する結合アー
ムと、リンクプレートのそれぞれの上縁を連結する開閉アームとを有し、リンクプレート
の一方の上端部と開閉アームの一端とがヒンジ結合されたケーブル類保護案内装置に関す
る。
【背景技術】
【０００２】
ケーブル類保護案内装置は、前後端が互いに屈曲可能に連結された複数のリンク体から
構成され、その一端が可動機械に取付けられるとともに、他端が固定フレームや床面に取
付けられる。そして、それぞれのリンク体は、内部に中空空間を有しており、ケーブルや
ホース等の可撓体が、連続するリンク体の中空空間内に収納され、床面から可動機械にエ
ネルギーを供給するようになっている。
【０００３】
このようなケーブル類保護案内装置の一例として、屈曲可能に連結された複数のリンク
体から構成され、それぞれのリンク体が、左右一対のリンクプレートと、該リンクプレー
トのそれぞれの下縁を連結する結合アームと、該リンクプレートのそれぞれの上縁を連結
する開閉アームとを有し、前記リンクプレートの一方の上端部と前記開閉アームの一端と
がヒンジ結合されているものがある。
【０００４】
そして、前記リンクプレートの他方の上端部にチェーン長手方向に延びる係合ピンが設
けられるとともに、開閉アームの他端に該開閉アームに沿って移動可能な係合片が開閉ア
ームの長手方向に開口する係合ピン装入溝を有していることにより、開閉アームがヒンジ
結合された一端を中心にして回転した後、係合片が開閉アームに沿って移動させられて係
合ピン装入溝に係合ピンが係合するようになっている（たとえば、特許文献１参照）。
【特許文献１】特許第３３５６６９９号公報
【発明の開示】
【発明が解決しようとする課題】
【０００５】
ところが、このような従来のケーブル類保護案内装置は、開閉アームに沿って移動可能
な係合片の係合ピン装入溝とリンクプレートの係合ピンとの係合構造のみによって、リン
クプレートの他方の上端部と開閉アームの他端とを固定しているため、両者が不十分な位
置合わせにより所定の係合位置で確実に固定されていない場合には、作動時の振動などに
よって容易に外れて係合機能に重大な支障を来し、また、この係合構造を構成する部材が
破損した場合には、開閉アームの他端をリンクプレートの他方の上端部に対して固定でき
ず、離脱もしくは脱落するという厄介な問題があり、しかも、開閉アームに沿って移動可
能な係合片を紛失すると、開閉アームが使用できず、結局、係合機能を果たすことができ
なくなるという問題があった。
【０００６】
また、上述したように開閉アームに沿って移動可能な係合片の係合ピン装入溝とリンク
プレートの係合ピンとの係合構造のみによって、リンクプレートの他方の上端部と開閉ア
ームの他端とを固定しているため、保護案内するケーブル類の重量が大きい場合は、前記
係合構造に多大な荷重が負荷され、その耐久性を著しく損なうという問題があり、しかも
、装置全体の小型化に伴って係合構造の大きさが制限され、充分な強度を発揮できないと
いう問題があった。
【０００７】
そこで、本発明は、上述したような問題を解決するものであって、すなわち、本発明の
目的は、開閉アームとリンクプレートとの係合を使い勝手に応じた確実かつ強固な二重構
造として作動中の不用意な外れを回避できるとともに、簡便な係合操作と小型化しても優
れた耐久性を発揮できるケーブル類保護案内装置を提供することである。
【課題を解決するための手段】
【０００８】
まず、本請求項１に係る発明は、左右一対のリンクプレートと該リンクプレートの下縁
を相互に連結する結合アームと該リンクプレートの上縁を相互に連結する開閉アームとを
備えた複数のリンク体が相互に屈曲可能に連結されているとともに、前記開閉アームを開
閉自在に回動させるヒンジ結合機構がリンクプレートの一方の上端部と開閉アームの一端
とを中心として構成されているケーブル類保護案内装置において、前記開閉アームとリン
クプレートとを係脱自在に固定する主ロック機構が、前記リンクプレートの他方の上端部
に一体成形されてチェーン長手方向に延びる係合ピンと、前記開閉アームの他端に取り付
けられて開閉アームに沿ってリンクプレートの外側から内側に向けて移動して係合ピンに
係合可能な係合ピン装入溝を開閉アームの長手方向に開口させた係合片とで構成され、前
記開閉アームとリンクプレートとを係脱自在に係止する補助ロック機構が、前記係合ピン
のピン端部近傍に一体成形されてリンクプレートの内側に向けて開口する突起片装入溝と
前記開閉アームの他端に一体成形されて突起片装入溝にリンクプレートの内側から外側に
向けて装入して嵌合可能な補助突起片とで構成されていることにより、前記課題を解決し
た。
【０００９】
そして、本請求項２に係る発明のケーブル類保護案内装置は、請求項１に係る発明の構
成に加えて、前記補助突起片を突起片装入溝の装入開始位置まで滑降させながら誘導案内
する誘導案内面が、前記係合ピンのピン端部近傍に一体形成されていることにより、前記
課題をさらに解決した。
【００１０】
また、本請求項３に係る発明のケーブル類保護案内装置は、請求項１または請求項２に
係る発明の構成に加えて、前記係合片の係合ピン装入溝と共働して係合ピンを抱持するロ
ック舌片が、前記補助突起片の近傍に一体形成されていることにより、前記課題をさらに
解決した。
【００１１】
加えて、本請求項４に係る発明のケーブル類保護案内装置は、請求項１乃至請求項３の
いずれかに係る発明の構成に加えて、前記係合片に一体成形されて弾性変形可能な係止用
舌片と前記開閉アームに一体成形されて係止用舌片を係止する少なくとも一つのストッパ
部とを備え、前記係合片の係合ピン装入溝を移動して前記係合ピンに係合させたとき、前
記係止用舌片がストッパ部の一つに係止されて前記係合片の逆方向への移動を阻止するこ
とにより、前記課題をさらに解決した。
【発明の効果】
【００１２】
本請求項１に係る発明のケーブル類保護案内装置によれば、開閉アームとリンクプレー
トとを係脱自在に固定する主ロック機構と係脱自在に係止する補助ロック機構とを備えた
ことにより、開閉アームとリンクプレートとの係合が二重構造となり、開閉アームに作用
する荷重が主ロック機構と補助ロック機構とに分散軽減されて優れた耐久性を発揮でき、
また、主ロック機構を作動中に外した場合であっても、補助ロック機構が依然として係合
しているため、作動中における開閉アームの不用意な外れを回避して確実な係脱を実現で
きるばかりでなく、以下のような特有の効果を奏することができる。
【００１３】
すなわち、本請求項１に係る発明のケーブル類保護案内装置によれば、前記主ロック機
構が、前記リンクプレートの他方の上端部に一体成形されてチェーン長手方向に延びる係
合ピンと、前記開閉アームの他端に取り付けられて開閉アームに沿ってリンクプレートの
外側から内側に向けて移動して係合ピンに係合可能な係合ピン装入溝を開閉アームの長手
方向に開口させた係合片とで構成されていることにより、係合ピン装入溝に係合ピンが係
合された状態において開閉アームの回動方向と係合片の移動方向とが異なっているため、
係合片が移動しない限り、開閉アームはリンクプレートから不用意に外れることがなく、
また、係合片の係合ピン装入溝をリンクプレートの外側から内側に向けて移動して係合ピ
ンに係合させるため、開閉アームをリンクプレートに係合固定させる係合操作が簡便とな
りその労力も軽減できる。
【００１４】
そして、前記補助ロック機構が、前記係合ピンのピン端部近傍に一体成形されてリンク
プレートの内側に向けて開口する突起片装入溝と前記開閉アームの他端に一体成形されて
突起片装入溝にリンクプレートの内側から外側に向けて装入して嵌合可能な補助突起片と
で構成されていることにより、補助突起片が突起片装入溝に装入されると、左右一対のリ
ンクプレートの両側壁が内側に倒れ込むようにして働く挟圧力を惹起させるため、補助突
起片と突起片装入溝との装入状態が確実かつ強固になって補助ロック機構の小型化を達成
でき、主ロック機構が働いていない場合であっても、開閉アームがリンクプレートから容
易に外れることがなく、しかも、リンク体の全体的な捩れ剛性を大幅に向上させることが
できる。
【００１５】
また、本請求項２に係る発明のケーブル類保護案内装置は、請求項１に係る発明が奏す
る効果に加えて、前記補助突起片を突起片装入溝の装入開始位置まで滑降させながら誘導
案内する誘導案内面が、前記係合ピンのピン端部近傍に一体形成されていることにより、
リンクプレートの上端部から開閉アームの他端を押し込んで両者を係合させようとする力
が、誘導案内面上において左右一対のリンクプレートの離間を拡幅しようとする分力を生
じ、この分力が、開閉アームの補助突起片を誘導案内面上を円滑に滑降させて突起片装入
溝の装入開始位置まで簡便に誘導案内するため、係合操作負担を軽減することができる。
【００１６】
さらに、本請求項３に係る発明のケーブル類保護案内装置は、請求項１または請求項２
に係る発明が奏する効果に加えて、前記係合片の係合ピン装入溝と共働して係合ピンを抱
持するロック舌片が補助突起片の近傍に一体形成されていることにより、開閉アームを係
合ピンに確実にロックして、不用意な外れを完全に解消することができる。
【００１７】
また、本請求項４に係る発明のケーブル類保護案内装置は、請求項１乃至請求項３のい
ずれかに係る発明が奏する効果に加えて、前記係合片に一体成形されて弾性変形可能な係
止用舌片と前記開閉アームに一体成形されて係止用舌片を係止する少なくとも一つのスト
ッパ部とを備え、前記係合片の係合ピン装入溝を移動して前記係合ピンに係合させたとき
、前記係止用舌片がストッパ部の一つに係止されて前記係合片の逆方向への移動を阻止す
ることによって、係合片の移動を阻止する係止用舌片とストッパ部とが係止用舌片の弾性
変形により係合片の移動を阻止できる程度の軽い係止状態を呈するため、開閉アームの他
端を係合ピンに係合させたり、開閉アームの他端を係合ピンから解除したりする際に大き
な力を必要とせず、開閉アームの組立及び解除を簡便に達成することができる。
【発明を実施するための最良の形態】
【００１８】
本発明は、左右一対のリンクプレートと該リンクプレートの下縁を相互に連結する結合
アームと該リンクプレートの上縁を相互に連結する開閉アームとを備えた複数のリンク体
が相互に屈曲可能に連結されているとともに、前記開閉アームを開閉自在に回動させるヒ
ンジ結合機構がリンクプレートの一方の上端部と開閉アームの一端とを中心として構成さ
れているケーブル類保護案内装置において、前記開閉アームとリンクプレートとを係脱自
在に固定する主ロック機構が、前記リンクプレートの他方の上端部に一体成形されてチェ
ーン長手方向に延びる係合ピンと、前記開閉アームの他端に取り付けられて開閉アームに
沿ってリンクプレートの外側から内側に向けて移動して係合ピンに係合可能な係合ピン装
入溝を開閉アームの長手方向に開口させた係合片とで構成され、前記開閉アームとリンク
プレートとを係脱自在に係止する補助ロック機構が、前記係合ピンのピン端部近傍に一体
成形されてリンクプレートの内側に向けて開口する突起片装入溝と前記開閉アームの他端
に一体成形されて突起片装入溝にリンクプレートの内側から外側に向けて装入して嵌合可
能な補助突起片とで構成され、開閉アームとリンクプレートとの係合を使い勝手に応じた
確実かつ強固な二重構造として作動中の不用意な外れを回避して簡便な係合操作と小型化
しても優れた耐久性を発揮するものであれば、その具体的な態様は如何なるものであって
も何ら構わない。
【００１９】
なお、本発明において開閉アームに取り付けられる係合片は、開閉アームの他端側のみ
に取り付けて主ロック機構を構成する外に、係合片を一端側にも取り付けて一端側の係合
片によって主ロック機構を構成するようにしても良く、この場合には、開閉アームの構造
が両端において対称となり、組立時に開閉アームの取り付け方向に注意する必要がなく、
一端側からでも他端側からでも開閉アームが着脱でき、着脱作業性がさらに向上すること
は言うまでもない。
【実施例】
【００２０】
本発明の一実施例であるケーブル類保護案内装置を図面に基づいて以下に説明する。
まず、図１は、本発明の一実施例であるケーブル類保護案内装置の概要図であり、図２
は、図１に示すリンク体の全体図であり、図３は、リンクプレートと結合アームとの連結
状態を示す斜視図であり、図４は、開閉アームと係合片との分解図であり、図５は、補助
ロック機構のみで開閉アームを係止した状態を示す斜視図であり、図６は、主ロック機構
の固定開始状態を拡大した斜視図であり、図７は、主ロック機構の固定完了状態を拡大し
た斜視図であり、図８は、補助ロック機構の係止開始状態を拡大した斜視図であり、図９
は、補助ロック機構の係止完了状態を拡大した斜視図である。
そこで、図１に示す本発明の一実施例であるケーブル類保護案内装置は、前後端が互い
に屈曲可能に連結された複数のリンク体１００を備え、このリンク体１００の多数連結さ
れた長手方向の一端は、可動機械（図示せず）に取付けられ、その他端は、床面（図示せ
ず）に取り付けられるようになっている。
【００２１】
そして、前記リンク体１００は、図２に示すように、左右一対のリンクプレート１１０
，１１０と、それぞれのリンクプレート１１０，１１０の下端部を連結する結合アーム１
２０と、それぞれのリンクプレート１１０，１１０の上端部を連結する開閉アーム１３０
とを有している。なお、図１乃至図２の符号１１１は、リンクプレート１１０を長手方向
に相互連結するための連結ピンであり、符号１１２は、リンクプレート１１０を長手方向
に相互連結するための連結ピン１１１が回動自在に嵌合する連結孔である。
また、リンク体１００は、図２乃至図３に示すように、樹脂材料から射出成形加工され
ている。その結合アーム１２０は、小判型のリンクプレート１１０と一体に成形され、開
閉アーム１３０は、ケーブルやホース等の可撓体からなるケーブル類Ｃをリンク体１００
内に収納するため、リンクプレート１１０に対して着脱可能となっている。
【００２２】
すなわち、リンク体１００には、図２に示すような、リンクプレート１１０の一方の上
端部と開閉アーム１３０の一端とを回動の中心として構成して開閉アーム１３０を開閉自
在に回動させるヒンジ結合機構１００Ａと、図２に示すような、リンクプレート１１０の
他方の上端部と開閉アーム１３０の他端側との間で構成して開閉アーム１３０とリンクプ
レート１１０とを係脱自在に固定する主ロック機構１００Ｂと、図５に示すような、リン
クプレート１１０の他方の上端部と開閉アーム１３０の他端との間で構成して開閉アーム
１３０とリンクプレート１１０とを係脱自在に係止する補助ロック機構１００Ｃとが設け
られている。
本実施例のケーブル類保護案内装置では、主ロック機構１００Ｂと補助ロック機構１０
０Ｃとを備えたことにより、開閉アーム１３０とリンクプレート１１０との係合が二重構
造となり、開閉アーム１３０に作用する荷重が主ロック機構１００Ｂと補助ロック機構１
００Ｃとの２カ所に分散軽減され、主ロック機構１００Ｂを作動中に外した場合であって
も、図９に示すように補助ロック機構１００Ｃが依然として係合するようになっている。
【００２３】
そこで、本実施例のケーブル類保護案内装置が特徴とするリンクプレート１１０と開閉
アーム１３０との間に構成される主ロック機構１００Ｂ、補助ロック機構１００Ｃ、ヒン
ジ結合機構１００Ａについて、以下にそれぞれ詳しく説明する。
【００２４】
まず、前記主ロック機構１００Ｂは、図２若しくは図６に示すように、リンクプレート
１１０の他方の上端部に一体成形されてチェーン長手方向に延びる係合ピン１１３と、開
閉アーム１３０の他端に取り付けられて開閉アーム１３０に沿ってリンクプレート１１０
の外側から内側に向けて移動して係合ピン１１３に係合可能なフック状側断面の係合ピン
装入溝１４１を開閉アーム１３０の長手方向に開口させた係合片１４０とで構成すること
により、開閉アーム１３０とリンクプレート１１０とを係脱自在に固定するようになって
いる。
そして、図７に示すように、係合片１４０の係合ピン装入溝１４１に係合ピン１１３が
係合された状態において開閉アーム１３０の回動方向と係合片１４０の移動方向とが異な
っているため、係合片１４０が移動しない限り、開閉アーム１３０は、リンクプレート１
１０から不用意に外れることがなく、また、係合片１４０の係合ピン装入溝１４１をリン
クプレート１１０の外側から内側に向けて移動して係合ピン１１３に係合させるため、開
閉アーム１３０をリンクプレート１１０に係合固定させる係合操作が簡便となりその労力
も軽減されるようになっている。
【００２５】
他方、前記補助ロック機構１００Ｃは、図８に示すように、係合ピン１１３のピン端部
近傍に一体成形されてリンクプレート１１０の内側に向けて開口する突起片装入溝１１４
と、開閉アーム１３０の他端に一体成形されて突起片装入溝１１４にリンクプレート１１
０の内側から外側に向けて装入して嵌合可能な補助突起片１３１とで構成することにより
、開閉アーム１３０とリンクプレート１１０とを係脱自在に係止するようになっている。
そして、図９に示すように、補助突起片１３１が突起片装入溝１１４に装入されると、
左右一対のリンクプレート１１０，１１０の両側壁が内側に倒れ込むようにして働く挟圧
力ｆを惹起させるため、補助突起片１３１と突起片装入溝１１４との装入状態が確実かつ
強固になって補助ロック機構１００Ｃの小型化を達成して、主ロック機構１００Ｂが働い
ていない場合であっても、開閉アーム１３０がリンクプレート１１０の上端部から容易に
外れることがなく、しかも、リンク体１００の全体的な捩れ剛性を大幅に向上させるよう
になっている。
【００２６】
また、図８に示すように、前記係合ピン１１３のピン端部近傍に一体形成されて補助突
起片１３１を突起片装入溝１１４の装入開始位置まで滑降させながら誘導案内する誘導案
内面１１５を備えていることにより、リンクプレート１１０の上端部から開閉アーム１３
０の他端を押し込んで両者を係合させようとする押圧力Ｆが、誘導案内面１１５上におい
て左右一対のリンクプレート１１０，１１０の離間を拡幅しようとする分力Ｆ１を生じ、
この分力Ｆ１が、開閉アーム１３０の補助突起片１３１を誘導案内１１５面上を円滑に滑
降させて突起片装入溝１１４の装入開始位置まで簡便に誘導案内するため、係合操作負担
を軽減するようになっている。
【００２７】
図１若しくは図２に示すように、前記係合片１４０の係合ピン装入溝１４１と共働して
係合ピン１１３を抱持するロック舌片１３２が補助突起片１３１の近傍に一体形成されて
いることにより、主ロック機構１００Ｂを働かせたとき、開閉アーム１３０を係合ピン１
１３に確実にロックして、不用意な外れを完全に解消するようになっている。
しかも、リンクプレート１１０の上端部から開閉アーム１３０の他端を押し込んで両者
を係合させて補助ロック機構１００Ｃを働かせるとき、前記ロック舌片１３２が、リンク
プレート１１０の一方の上端部に一体成形された位置決め当接面１１６に当接して突起片
装入溝１１４の装入開始位置を確実に位置決めするため、補助ロック機構１００Ｃの確実
かつ簡便な係合操作を達成するようになっている。
【００２８】
さらに、前記ヒンジ結合機構１００Ａは、図５に示すように、リンクプレート１１０の
一方の上端部に一体成形されてチェーン長手方向に延びる係合ピン１１３と、開閉アーム
１３０の一端に形成されて補助ロック機構１００Ｃが係合状態となったときリンクプレー
ト１１０の内周側から外周側に向けて開口して係合ピン１１３に係合可能なＵ字状側断面
を有する係合ピン装入溝１３３とで構成されていることにより、補助ロック機構１００Ｃ
が係合状態となったとき、ヒンジ結合機構１００Ａを構成する開閉アーム１３０の一端に
形成された係合ピン装入溝１３３の開口方向と補助ロック機構１００Ｃを構成するリンク
プレート１１０の他方に形成された突起片装入溝１１４の開口方向とが異なっているため
、開閉アーム１３０側の補助突起片１３１をリンクプレート１１０側の突起片装入溝１１
４から意図的に抜き取らない限り、不用意に外れることがなく、簡素な係合構造の補助ロ
ック機構１００Ｃであっても単独で確固たる係合力を発揮するようになっている。
【００２９】
また、前記主ロック機構１００Ｂは、図４に示すように、係合片１４０に一体成形され
て弾性変形可能な係止用舌片１４２と前記開閉アーム１３０に一体成形されて係止用舌片
１４２を係止するストッパ部１３４Ａ，１３４Ｂとを備え、図７に示すように、係合片１
４０の係合ピン装入溝１４１を移動して係合ピン１１３に係合させたとき、係止用舌片１
４２がストッパ部１３４Ａに係止されて係合片１４０の逆方向への移動を阻止することに
よって、係合片１４０の移動を阻止する係止用舌片１４２とストッパ部１３４Ａとが係止
用舌片１４２の弾性変形により係合片１４０の移動を阻止できる程度の軽い係止状態を呈
するため、開閉アーム１３０の他端を係合ピン１１３に係合させたり、開閉アーム１３０
の他端を係合ピン１１３から解除したりする際に大きな力を必要とせず、開閉アーム１３
０の組立及び解除を簡便に達成するようになっている。
【００３０】
なお、図４に示す符号１４３は、前記係合片１４０を開閉アーム１３０の長手方向に沿
って移動させるために、係止用舌片１４２と並行配置した左右一対のガイド片である。
また、図４に示すストッパ部１３４Ｂは、係合片１４０の係止用舌片１４２と開閉アー
ム１３０のストッパ部１３４Ａとの係合を解放した場合に、図６に示すように、係合片１
４０が開閉アーム１３０から離脱して紛失するのを防止するようになっている。
【００３１】
本実施例において開閉アーム１３０に取り付けられる係合片１４０は、開閉アーム１３
０の他端側のみに取り付けて主ロック機構１００Ｂを構成しているが、開閉アーム１３０
の一端側にも取り付けて一端側の係合片１４０によって主ロック機構１００Ｂを構成する
ように開閉アーム１３０をヒンジ結合しても良く、この場合には、開閉アーム１３０の構
造が両端において対称となり、組立時に開閉アーム１３０の取り付け方向に注意する必要
がなく、一端側からでも他端側からでも開閉アーム１３０が着脱でき、着脱作業性がさら
に向上することは言うまでもない。
【００３２】
このようにして得られた本実施例のケーブル類保護案内装置は、開閉アーム１３０とリ
ンクプレート１１０とを係脱自在に固定する主ロック機構１００Ｂと係脱自在に係止する
補助ロック機構１００Ｃとを備えたことにより、開閉アーム１３０とリンクプレート１１
０との係合が二重構造となり、開閉アーム１３０に作用する荷重が主ロック機構１００Ｂ
と補助ロック機構１００Ｃとに分散軽減されて優れた耐久性を発揮でき、また、主ロック
機構１００Ｂを作動中に外した場合であっても、補助ロック機構１００Ｂが依然として係
合しているため、作動中における開閉アーム１３０の不用意な外れを回避して確実な係脱
を実現して簡便な係合操作を達成でき、しかも小型化することもできるなど、その効果は
甚大である。
【図面の簡単な説明】
【００３３】
【図１】本発明の一実施例であるケーブル類保護案内装置の概要図。
【図２】図１に示すリンク体の全体図。
【図３】リンクプレートと結合アームとの連結状態を示す斜視図。
【図４】開閉アームと係合片との分解図。
【図５】補助ロック機構のみで開閉アームを係止した状態を示す斜視図。
【図６】主ロック機構の固定開始状態を拡大した斜視図。
【図７】主ロック機構の固定完了状態を拡大した斜視図。
【図８】補助ロック機構の係止開始状態を拡大した斜視図。
【図９】補助ロック機構の係止完了状態を拡大した斜視図。
【符号の説明】
【００３４】
１００  ・・・リンク体
１００Ａ・・・ヒンジ結合機構
１００Ｂ・・・主ロック機構
１００Ｃ・・・補助ロック機構
１１０  ・・・リンクプレート
１１１  ・・・連結ピン
１１２  ・・・連結孔
１１３  ・・・係合ピン
１１４  ・・・突起片装入溝
１１５  ・・・誘導案内面
１１６  ・・・位置決め当接面
１２０  ・・・結合アーム
１３０  ・・・開閉アーム
１３１  ・・・補助突起片
１３２  ・・・ロック舌片
１３３  ・・・係合ピン装入溝
１３４Ａ・・・ストッパ部
１３４Ｂ・・・ストッパ部
１４０  ・・・係合片
１４１  ・・・係合ピン装入溝
１４２  ・・・係止用舌片
１４３  ・・・ガイド片
Ｃ      ・・・ケーブル類
Ｆ      ・・・押圧力
Ｆ１    ・・・分力
ｆ      ・・・挟圧力
【図１】
0004476204.tif 000002
【図２】
0004476204.tif 000003
【図３】
0004476204.tif 000004
【図４】
0004476204.tif 000005
【図５】
0004476204.tif 000006
【図６】
0004476204.tif 000007
【図７】
0004476204.tif 000008
【図８】
0004476204.tif 000009
【図９】
0004476204.tif 000010